(57)【特許請求の範囲】
【請求項１】
胴部２より口頚部３を起立した容器体Ａと、口頚部外周に下部を嵌合させた周壁４上端縁より内方へ、周壁４内前部を被覆する計量皿５を延設してなるキャップ本体Ｂと、該本体上面を開閉可能に閉塞する蓋体Ｃとを備え、キャップ本体周壁４内周面後部に後部周縁部を嵌合させて、計量皿５との間に錠剤の通過が可能な隙間をあけた位置から錠剤を通過不能にさせる位置までの所定幅の上下摺動が可能に装着させ、且つ、上面前部より棒状突起12を起立してなる可動蓋板Ｄを設け、棒状突起12の先端を蓋体頂壁10裏面に穿設した係止穴11に離脱可能に密嵌係止させるとともに、該係止により、開蓋に伴って可動蓋板を上方所定位置へ引き上げる如く構成してなることを特徴とする錠剤容器。
【請求項２】
上記係止穴11が、下方に広がるテーパ状導入部11a を下端開口部に延設してなる係止穴である請求項１記載の錠剤容器。
【請求項３】
上記計量皿５が、容器体口頚部３上端開口前部周縁部を被覆する平面視円弧帯状をなし、且つ、錠剤を一列円弧状に載置する計量皿である請求項１記載の錠剤容器。
【発明の詳細な説明】
【０００１】
【発明の属する技術分野】
本発明は錠剤容器に関する。
【０００２】
【従来の技術】
錠剤容器として、口頚部を起立した容器体と、口頚部外周に螺着させた周壁上端縁より口頚部上端開口を閉塞する頂壁を延設してなる蓋体とからなるものが一般に知られている。
【０００３】
【発明が解決しようとする課題】
従来のこの種の容器は、一定量を取り出すためには、その都度手のひら等に取り出した錠剤を数えて過剰なものを容器に返す等しており、面倒が伴う。特にこの種の容器では、口頚部が錠剤に比較してかなり大きいのが一般的であり、多量に取り出してしまう傾向にある。手のひら等に取り出した錠剤を容器に返すことは、収納錠剤が湿気る等の不都合が生じる虞があり好ましくない。
【０００４】
本発明は簡単な操作で定量の錠剤を取り出すことが出来、また、自動的に取り出し口の閉塞状態となり、取り出した錠剤を容器内に戻す等の必要はなく、取り扱いが極めて便利であり、また、錠剤の計量も確実に行える等優れた錠剤容器を提案するものである。
【０００５】
【課題を解決するための手段】
本請求項１発明の容器は、上記課題を解決するため、胴部２より口頚部３を起立した容器体Ａと、口頚部外周に下部を嵌合させた周壁４上端縁より内方へ、周壁４内前部を被覆する計量皿５を延設してなるキャップ本体Ｂと、該本体上面を開閉可能に閉塞する蓋体Ｃとを備え、キャップ本体周壁４内周面後部に後部周縁部を嵌合させて、計量皿５との間に錠剤の通過が可能な隙間をあけた位置から錠剤を通過不能にさせる位置までの所定幅の上下摺動が可能に装着させ、且つ、上面前部より棒状突起12を起立してなる可動蓋板Ｄを設け、棒状突起12の先端を蓋体頂壁10裏面に穿設した係止穴11に離脱可能に密嵌係止させるとともに、該係止により、開蓋に伴って可動蓋板を上方所定位置へ引き上げる如く構成してなることを特徴とする錠剤容器として構成した。
【０００６】
また、請求項２発明の容器は、上記係止穴11が、下方に広がるテーパ状導入部11a を下端開口部に延設してなる係止穴である請求項１記載の錠剤容器として構成した。
【０００７】
また、請求項３発明の容器は、上記計量皿５が、容器体口頚部３上端開口前部周縁部を被覆する平面視円弧帯状をなし、且つ、錠剤を一列円弧状に載置する計量皿である請求項１記載の錠剤容器として構成した。
【０００８】
【発明の実施の形態】
以下、本発明の実施例の形態を図面を参照して説明する。
本発明の錠剤容器１は、容器体Ａと、キャップ本体Ｂと、蓋体Ｃと、可動蓋板Ｄとを備えている。
【０００９】
容器体Ａは、胴部２より口頚部３を起立して構成している。
キャップ本体Ｂは、口頚部外周に下部を嵌合させた周壁４上端縁より内方へ、周壁４内前部を被覆する計量皿５を延設して構成している。計量皿５の形態は種々採用出来るが、計量皿の被覆部分以外の開口部分は少なくとも容器体内に収納した錠剤が通過可能な広さを必要とするため、それに合わせた計量皿５の大きさとする。
【００１０】
本実施例では、周壁４の下端部を、内面下部に形成した下向き段部ａを介して上方より肉薄に形成し、下向き段部ａ下方の内面に周設した螺条を口頚部外周の螺条に螺着させている。また、周壁４上端縁より内方へフランジ状の頂板６を延設するとともに、頂板６の内周縁前半部より内方へ、平面視円弧帯状をなし、且つ、縦断面Ｖ字状に形成して錠剤を一列円弧状に載置する計量皿５を突設している。また、頂板の内周縁部より上方へ、蓋体Ｃを嵌合させるための嵌合筒７を立設している。更に、周壁４後部の口頚部嵌合部分上方には、可動蓋板Ｄを嵌合させるための縦凹溝８を周方向多数刻設している。
【００１１】
蓋体Ｃはキャップ本体Ｂ上面を開閉可能に閉塞するもので、図示例では、キャップ本体周壁４の後部上端に、薄肉ヒンジを介して周壁９の後部下端を回動可能に連結し、周壁９上端縁より頂壁10を延設して構成している。蓋体Ｃとキャップ本体Ｂとの連結は、図示例の薄肉ヒンジを介したものに限らず、弾性反転を行うことの出来る公知の弾性反転連結機構により連結させることも当然可能である。
また、頂壁10裏面には可動蓋板Ｄの後述する棒状突起を嵌合させるための係止穴11を穿設している。この係止穴11は、下方に広がるテーパ状導入部11a を下端開口部に延設し、上部が棒状突起の先端形状と同形状の凹部に形成している。
【００１２】
可動蓋板Ｄは、キャップ本体周壁４内周面後部に、後部周縁部を嵌合させて計量皿５との間に錠剤の通過が可能な隙間をあけた位置から錠剤を通過不能にさせる位置までの所定幅の上下摺動が可能に装着させ、上面前部より棒状突起12を起立して構成している。
【００１３】
図示例では、半円板状をなし、後部周縁部に、上記各縦凹溝８とそれぞれ摺動可能に嵌合する係合突起13を周方向多数突設している。
また、棒状突起12の先端は蓋体頂壁10裏面中央に穿設した上記係止穴11に離脱可能に密嵌係止させるとともに、該係止により、開蓋に伴って錠剤を通過不能にさせる位置まで可動蓋板Ｄを上方へ引き上げる如く構成している。
【００１４】
以下、上記の如く構成した錠剤容器を使用する場合について説明する。
蓋体Ｃを閉じた状態で容器を倒立させた後正立させると、容器体内の錠剤ｂが可動蓋板Ｄと計量皿５との隙間から計量皿５に量り取られる。次いで、蓋体Ｃを開いて容器を再び倒立させると計量された錠剤ｂを取り出すことが出来る。この際、蓋体Ｃの回動に伴って係止穴11に先端を密嵌係止させた棒状突起12が引き上げられ、錠剤を通過不能にさせる位置まで可動蓋板Ｄを上昇させるため、容器体内の錠剤が外部へ出るのを防止できる。可動蓋板Ｄが最上昇位置まで移行すると、係止穴11と棒状突起12との係合が外れる。次いで、再び容器を正立させて蓋体を閉めると、係止穴11が棒状突起12先端に係合して可動蓋板Ｄを下方へ押し下げ、元の状態に戻る。この際、テーパ状導入部11a の存在で、確実に棒状突起12上端が係止穴11に嵌合する。
尚、上記各部材は全て合成樹脂等により形成することが出来る。
【００１５】
【発明の効果】
以上説明した如く本発明容器は、キャップ本体Ｂ内周面後部に後部周縁部を嵌合させて、計量皿５との間に錠剤の通過が可能な隙間をあけた位置から錠剤を通過不能にさせる位置までの所定幅の上下摺動が可能に装着させ、また、上面前部より棒状突起12を起立してなる可動蓋板Ｄを設け、棒状突起12の先端を蓋体頂壁10裏面に穿設した係止穴11に離脱可能に密嵌係止させるとともに、該係止により、開蓋に伴って可動蓋板を上方所定位置へ引き上げる如く構成したので、容器を倒立した後正立するという簡単な操作で所定量の錠剤を計量することができ、また、開蓋することにより錠剤の取り出し口が閉塞されるためそのまま容器を傾ければ計量した所定量の錠剤を取り出すことができ、更に、蓋体を閉じれば自動的に計量可能な元の状態に戻るため、極めて使い勝手が良い。また、錠剤は計量されて取り出されるため、手のひら等に取り出した錠剤を再び容器体内に戻す等の不都合を生じる虞もない。
【００１６】
また、下方に広がるテーパ状導入部11a を下端開口部に延設してなる係止穴11を採用したものにあっては、開いた蓋体を閉じる際に、テーパ状導入部を介して係止穴11に棒状突起12先端が密嵌するため、突起12先端の確実な嵌合を行え、ひいては可動蓋板の円滑な上下動を行えるという利点を兼ね備えている。
【００１７】
また、容器体口頚部３上端開口前部周縁部を被覆する平面視円弧帯状をなし、且つ、錠剤を一列円弧状に載置する計量皿５を採用したものにあっては、容器倒立時に計量された錠剤上に余分な錠剤が重なる場合があっても、正立時に確実に容器体内に戻り、常時正確な計量を行えるという利点を兼ね備えている。
【図面の簡単な説明】
【図１】本発明の一実施例を示す縦断面図である。
【図２】同実施例の開蓋状態の縦断面図である。
【図３】同実施例の開蓋状態の一部切欠き要部平面図である。
【符号の説明】
２…胴部，３…口頚部，４…キャップ本体周壁，５…計量皿，10…蓋体頂壁，
11…係止穴，11a …テーパ状導入部，12…棒状突起，Ａ…容器体，
Ｂ…キャップ本体，Ｃ…蓋体，Ｄ…可動蓋板，ｂ…錠剤
【図１】
0003691234.tif 000002
【図２】
0003691234.tif 000003
【図３】
0003691234.tif 000004